(57)【要約】【課題】  半導体発光素子から発生する熱を効果的に放熱して所定の照度が得るようにすると共に信頼性を高め、さらに光の照射方向を変化させることが可能となる照明装置及び照明器具を提供する。【解決手段】  半導体発光素子１１と；半導体発光素子１１を支持すると共に熱伝導性を有して構成した光源体１２と；光源体１２を支持し半導体発光素子１１を点灯する点灯回路１５を収納したカバー部材１３と；カバー部材１３に支持された口金部材１４と；を具備する構成とする。【選択図】        図１
2007012288.tif 000002
【特許請求の範囲】
【請求項１】
半導体発光素子と；
半導体発光素子を支持すると共に熱伝導性を有して構成した光源体と；
光源体を支持し半導体発光素子を点灯する点灯回路を収納したカバー部材と；
カバー部材に支持された口金部材と；
を具備することを特徴とする照明装置。
【請求項２】
前記光源体は、光を透過する透光部を有する金属で構成したことを特徴とする請求項１に記載の照明装置。
【請求項３】
前記光源体は、カバー部材に対し回動可能に支持したことを特徴とする請求項１または２に記載の照明装置。
【請求項４】
請求項１ないし３いずれか一に記載の照明装置を用いたことを特徴とする照明器具。
【発明の詳細な説明】
【技術分野】
【０００１】
本発明は、発光ダイオード等の半導体発光素子を光源とした照明装置及び照明器具に
関する。
【背景技術】
【０００２】
近年、フィラメント電球に代わって、寿命が長く、また消費電力の少ない半導体発光素子である発光ダイオードを光源としたランプが、各種照明器具の光源として採用されるようになってきている（例えば特許文献１や特許文献２）。
【０００３】
しかしながら、発光ダイオードは点灯時に発熱量が比較的多く、この温度上昇により発光効率が低下して光束の低下が生じ、所定の照度が得られない問題がある。
【０００４】
これを解決するために、特許文献１などに示されるように、発光ダイオードの放熱性を向上させ、発光効率の低下を抑制することが行われている。
【０００５】
また、発光ダイオードは狭角配光光源の性能を有し、一般的に光の直進性がよいために、光の照射方向を簡単かつ自由に変換できるようにすることが要望されている。
【特許文献１】特開２００１−２４３８０９号公報
【特許文献２】特開２００４−１０３４４３号公報
【発明の開示】
【発明が解決しようとする課題】
【０００６】
しかしながら特許文献１に示されるものは、透光性カバーと共に略球体をなすように構成されたラッパ状金属放熱部の内部に金属基板を設け、金属基板に発光ダイオードを実装し、発光ダイオードが発生する熱を高熱伝導部材を介してラッパ状金属放熱部に伝達するように構成したＬＥＤ電球である。
【０００７】
このため、電球としてのケース部分を兼ねるラッパ状金属放熱部全体の温度が高くなり、ラッパ状金属放熱部の内部空間の温度が上昇してしまう。
【０００８】
このラッパ状金属放熱部の内部空間は、特許文献２等にも示されるように、発光ダイオードを点灯制御するための電源装置、すなわち点灯回路を構成する回路部品が収納されており、内部空間の温度が上昇すると回路部品が加熱され回路故障の原因となり信頼性を損なう恐れがある。
【０００９】
また、特許文献１及び特許文献２などのように、この種ＬＥＤ電球においては、発光ダイオードを実装した金属基板は本体ケース部分を兼ねるラッパ状金属放熱部に固定されており、ＬＥＤ電球を照明器具のソケットに装着した場合、光の照射方向は固定され、所望の方向に向けて最適な照明を行うことができない問題がある。
【００１０】
本発明は、上記の問題、課題に鑑みてなされたもので、半導体発光素子から発生する熱を効果的に放熱して所定の照度が得るようにすると共に信頼性を高め、さらに光の照射方向を変化させることが可能となる照明装置及び照明器具を提供しようとするものである。
【課題を解決するための手段】
【００１１】
請求項１に記載の照明装置の発明は、半導体発光素子と；半導体発光素子を支持すると共に熱伝導性を有して構成した光源体と；光源体を支持し半導体発光素子を点灯する点灯
回路を収納したカバー部材と；カバー部材に支持された口金部材と；を具備することを特徴とする。
【００１２】
請求項１に記載の発明によれば、半導体発光素子を支持すると共に熱伝導性を有して構成した光源体により、半導体発光素子から発生する熱を効果的に放熱して所定の照度が得るようにすると共に信頼性を高めた照明装置が構成される。
【００１３】
さらに、光源体を、点灯回路を収納したカバー部材に支持することにより、光源体をカバー部材とは別個の部品として構成することが可能となり、光源体をカバー部材に対して、回動させたり移動させたりして動かすことができ、発光ダイオードの光の照射方向を変化させることが可能となる照明装置が構成される。
【００１４】
「半導体発光素子」は、フィラメントを有しない半導体よりなる発光素子で、例えば発光ダイオードや半導体レーザなどを許容する。
【００１５】
「熱伝導性を有して構成した光源体」は、アルミニウム等の熱伝導性の良好な金属で構成することを許容するが、合成樹脂の素材にアルミニウム等の金属膜をコーティングしたり、アルミ箔等を被覆したものなどでもよく、その材質は特定のものに限定されない。
【００１６】
また，半導体発光素子、例えば発光ダイオードは、一般的にチップ素子を実装するプリント基板と、プリント基板の裏面に設けられたアルミニウム等からなる放熱板で構成されているが、この放熱板を光源体に接触させて支持してもよく、さらには発光ダイオードの放熱板自体で光源体を構成することも許容する。
【００１７】
「光源体を支持し半導体発光素子を点灯する点灯回路を収納したカバー部材」は、箱状をなし、材質はアルミニウム等の熱伝導性の良好な金属でも、または耐熱性でかつ電気絶縁性を有する合成樹脂でもよく、その材質は限定されない。
【００１８】
また点灯回路を収納した内部の状態は、気密にしても、また放熱のための空気孔等を形成し外部と連通させたものであってもよい。
【００１９】
点灯回路は、半導体発光素子を点灯するための電源回路を有しているが、半導体発光素子を調光するための調光回路を有するものであってもよい。
【００２０】
請求項２に記載の発明は、請求項１に記載の照明装置において、前記光源体は、光を透過する透光部を有する金属で構成したことを特徴とする。
【００２１】
請求項２に記載の発明によれば、光源体は光を透過する透光部を有する金属で構成したので、半導体発光素子から発生する熱を効果的に放熱して所定の照度が得るようにすると共に信頼性を高めた照明装置が構成される。
【００２２】
透光部は、金属の光源体に光を透過する透明や半透明の部材からなる透光体を設けたり、開口等を設けて半導体発光素子の光が外部に放射されるようにする手段で、透光部に透明なレンズ体等からなる光路制御手段を設け、配光を制御して光を放射することも許容する。
【００２３】
請求項３に記載の発明は、請求項１または２に記載の照明装置において、前記光源体は、カバー部材に対し回動可能に支持したことを特徴とする。
【００２４】
請求項３に記載の発明によれば、前記光源体は、カバー部材に対し回動可能に支持した
ので、光の照射方向を変化させることが可能となる照明装置が構成される。
【００２５】
回動可能に支持することは、光源体がカバー部材に対して回転して移動することで、回動する方向は回動軸を中心として上下若しくは左右に回動するも、軸を中心にして３６０度の角度範囲にわたり、あらゆる方向に回動するもの、さらには回動軸がなく球の凹状をなす内面を光源体の球の外面が摺接しながら動き、回動するようにしたものなどでもよく、回動の方向、回動の角度範囲及び回動させるための具体的な手段は特に限定されない。
【００２６】
請求項４に記載の照明器具の発明は、請求項１ないし３いずれか一に記載の照明装置を用いたことを特徴とする。
【００２７】
請求項４に記載の発明によれば、信頼性が高く、かつ光の照射方向を変化させることが可能となる照明器具が構成される。
【発明の効果】
【００２８】
請求項１の発明によれば、半導体発光素子を支持すると共に熱伝導性を有して構成した光源体により、点灯回路を収納したカバー部材から分離させ、半導体発光素子から発生する熱を効果的に放熱して所定の照度が得るようにすると共に信頼性を高め、さらに光の照射方向を変化させることが可能となる照明装置を提供することができる。
【００２９】
請求項２の発明によれば、光源体は光を透過する透光部を有する金属で構成したので、半導体発光素子から発生する熱を効果的に放熱して所定の照度が得るようにすると共に信頼性を高めた照明装置を提供することができる。
【００３０】
請求項３の発明によれば、前記光源体は、カバー部材に対し回動可能に支持したので、光の照射方向を変化させることが可能な照明装置を提供することができる。
【００３１】
請求項４の発明によれば、信頼性が高く、かつ光の照射方向を変化させることが可能となる照明器具を提供することができる。
【発明を実施するための最良の形態】
【００３２】
以下、本発明に係る照明装置及び照明器具の実施形態について説明する。
【実施例１】
【００３３】
図１〜図３は、本発明の実施形態である照明装置を示し、図１は縦断面図、図２は正面図、図３は照明装置の点灯回路及び明るさ特性を示すもので、（ａ）は概略的な回路図、（ｂ）は特性曲線図である。
【００３４】
図４は、本発明の実施形態である照明器具を示し、天井面に設置されたスポットライトとしての照明器具を概略的に示した説明図である。
【００３５】
図５は本発明の実施形態である照明装置の変形例を示す縦断面図、図６は同じく照明装置の他の変形例を示す縦断面図、図７は同じく照明装置のさらに他の変形例を示す縦断面図である。
【００３６】
本実施形態の照明装置は、店舗の展示物やショーウインドウ等の展示物を照明するスポットライト等に用いる電球型のＬＥＤランプとして構成されたもので、照明装置１０は、半導体発光素子１１、光源体１２、カバー部材１３及び口金部材１４で構成する。
【００３７】
以下、光源体１２を上側、口金部材１４を下側にして説明する。
【００３８】
半導体発光素子１１は、発光ダイオード（以下「ＬＥＤ」と称す）から構成し、ＬＥＤ１１は複数個で同一色、本実施形態では白色のＬＥＤが用意され、この各ＬＥＤは一方向に光線が主として放射される同種性能のもので構成する。
【００３９】
各ＬＥＤ１１は、複数のチップ素子を同心円状に複数列にわたって実装した円盤状のプリント基板１１ａと、プリント基板の裏面に重合し接して設けられたアルミニウム等の熱伝導性の良好な金属からなる放熱板１１ｂで構成する。放熱板１１ｂはプリント基板と同形状の円盤状に構成する。
【００４０】
１２は、ＬＥＤ１１を支持すると共に熱伝導性を有して構成した光源体で、アルミニウム等の熱伝導性の良好な金属で短い円筒箱状をなし横断面が略円形をなすように構成したヒートシンクとしての作用をなすケース１２ａと、ケースの開口部１２ｂを閉塞するよう設けた透光体１２ｃで構成する。
【００４１】
透光体１２ｃは、ＬＥＤ１１の光を外部に放射させるための透光部を構成するもので、無色透明なポリカーボネート等の合成樹脂でケース１２ａと略同寸法の直径を有する略円形の皿状に構成し、ケースの開口部１２ｂにねじ込んで取付ける。
【００４２】
光源体のケース１２ａの内底面には、円形凹部１２ｄを形成し、この円形凹部１２ｄにＬＥＤ１１の円盤状をなす放熱板１１ｂを嵌め込み、プリント基板１１ａの上面からねじ等を用いて固定する。
【００４３】
これにより、全体の外観形状が略円盤状をなす光源体１２が構成される。
【００４４】
１３は、光源体１２を支持しＬＥＤ１１を点灯する点灯回路１５を収納するカバー部材で、アルミニウム等の熱伝導性の良好な金属の一体成型品で構成する。
【００４５】
カバー部材１３は、上端に径の大きな開口部１３ａを、下端に径の小さな開口部１３ｂを有し、内部空間に凹部１３ｃを形成するように隔壁１３ｄを設ける。
【００４６】
さらに、外周面が上端から下端に向かい次第に径が小さくなる略円錐状のテーパ面をなすようにして、外観が一般白熱電球のシルエットに近似させた形状に構成する。
【００４７】
上端の開口部１３ａには、隔壁１３ｄの上面とで浅い凹部１３ｅが形成され、この凹部１３ｅ内に上述した光源体１２を嵌合して支持する。
【００４８】
すなわち、開口部１３ａの内径寸法は、円盤状をなす光源体１２の外径寸法より大きく構成し、光源体を凹部１３ｅ内に嵌合した際に、光源体の外周面と凹部内周面との間に隙間ａが形成されるようにする。
【００４９】
さらに、開口部１３ａの外側面から光源体１２の外側面にわたって２個の軸ピン１３ｆ、１３ｆを設ける。軸ピン１３ｆは円形をなす開口部１３ａ及び光源体１２の径方向に１８０度の角度をもって対向させた位置にそれぞれ設け、光源体１２がカバー部材１３の開口部１３ａに対し、この２個の軸ピン１３ｆ、１３ｆを中心として所定の角度Ａにわたり傾き回動するように構成する（図２）。
【００５０】
２個の軸ピン１３ｆ、１３ｆは、ステンレス等の金属で構成し、軸ピン１３ｆの一端を開口部１３ａの内周面に一体に埋め込み、他端を開口部内面に突出させ、突出させた軸ピンに光源体１２の外側面に形成した軸孔を嵌め込んで回動自在に支持する。
【００５１】
カバー部材１３の凹部１３ｃ内には、絶縁ケース１６を嵌合し、この絶縁ケース内に点灯回路１５の回路基板１５ａを嵌合して支持する。
【００５２】
絶縁ケース１６は、ポリブチレンテレフタノール（ＰＢＴ）などの耐熱性でかつ電気絶縁性を有する合成樹脂で有底円筒状をなす形状に構成し、凹部１３ｃ内に嵌合してシリコーン等の耐熱性の接着剤を用いて固定する。
【００５３】
回路基板１５ａは、円盤状のプリント基板で構成し、ＬＥＤ１１を点灯制御するための点灯回路１５を構成する回路部品１５ｂを実装したもので、絶縁ケース１６内に嵌合しシリコーン等の耐熱性の接着剤を用いて固定する。
【００５４】
なお、点灯回路１５の出力端子はリード線１５ｃにより光源体１２に設けられたＬＥＤ１１の入力端子に接続する。
【００５５】
リード線１５ｃは、絶縁ケース１６及び隔壁１３ｄに形成した貫通孔１７を介して光源体１２側に引き出され結線される。
【００５６】
なお、貫通孔１７は、リード線１５ｃを引き出した後に、シリコーン等の耐熱性の接着剤で塞ぎ、光源体１２から放熱される熱の一部が、貫通孔１７を介して絶縁ケース１６内に侵入しないようにしてもよい。
【００５７】
１４は、カバー部材１３に支持される口金部材で、連結部材１８を介してカバー部材１３の下端の開口部１３ｂに連結される。
【００５８】
連結部材１８は、絶縁ケース１６と同様にポリブチレンテレフタノール（ＰＢＴ）などの耐熱性でかつ電気絶縁性を有する合成樹脂で両端に開口部１８ａ、１８ｂを形成した円筒状をなす形状に構成する。
【００５９】
上端の開口部１８ａの外周面にはリング状の係止突条１８ｃを形成し、カバー部材１３の下端開口部１３ｂの内周面に形成した係止溝１３ｇに樹脂の弾性を利用して嵌め込むことにより係合させ、連結部材１８をカバー部材１３に固定する。
【００６０】
連結部材の下端開口部１８ｂの外周面に口金部材１４を嵌合し、カシメ若しくはシリコーン等の耐熱性の接着剤を用いて固定する。
【００６１】
口金部材１４は、導電性の金属で構成し、商用電源に接続される照明器具のソケットにねじ込んで取付けられるもので、例えばＥ２６型の口金で構成し、内面に空間部１４ａを外面に雄ねじ１４ｂを形成する。
【００６２】
口金部材１４の両端子部と回路基板１５ａの入力端子とをリードワイヤーにより接続する。
【００６３】
点灯回路１５は、図３（ａ）に概略的に示すように電源回路１５ｃと調光回路１５ｄで構成する。
【００６４】
調光回路１５ｄは、アナログ信号発生回路１５ｅと、のこぎり波発生回路１５ｆ及びコンパレータ１５ｇからなり、アナログ信号発生回路から発生させる任意に可変可能な直流電圧と、のこぎり波発生回路１５ｆから発生させる変形のこぎり波（図３中にｗ１で示す波形）とを、コンパレータ１５ｇで比較してＰＷＭ信号を生成し、このＰＷＭ信号で電源
回路１５ｃのフォトカプラ１５ｈをＯＮ／ＯＦＦすることでＬＥＤ１１を調光する。
【００６５】
この調光における直流電圧の電圧値を変化させた際の、ＬＥＤの明るさ特性は図３（ｂ）に示すような特性曲線となり、ＬＥＤの明るさが低い箇所において、よりよい照明演出を行うことができ、ＬＥＤの発光する付近での細かい明るさ制御が可能となり、高い照明演出ができる。
【００６６】
また、図３（ａ）中にｗ２で示すように、アナログ信号を一定の電圧とし、のこぎり波の周波数を変化させることで、ろうそくのゆらめきのような動きのある照明演出が可能となる。
【００６７】
上記のように構成された照明装置１０を点灯すると、ＬＥＤ１１が発光し、光源体１２の透光体１２ｃから光が放射され所定の照明を行う。
【００６８】
この際、ＬＥＤから発光した光の内、直進せずに周囲方向に拡散した光は、光沢のあるアルミニウムで構成した光源体１２のケース１２ａ内面で反射して透光体１２ｃから光ロスなく放射される。
【００６９】
また、照明装置１０を照明器具のソケットに装着した後に、展示物等に直接光を照射させる場合には、図２に示すよう軸ピン１３ｆを中心として光源体１２を回動し、所定の方向に傾けて使用する。
【００７０】
ＬＥＤ１１が発光し続けると熱が発生する。この熱は光源体１２内での対流による冷却作用に加え、アルミニウムで構成した放熱板１１ｂ及びケース１２ａに直接伝導され、ケース１２ａ外周面から効果的に外部に放出され、ＬＥＤの温度上昇を抑制する。
【００７１】
また、熱の発生源であるＬＥＤ１１を有する光源体１２は、点灯回路１５を収納したカバー部材１３とは、別体の部品として構成し、かつ両者は小さい軸ピンのみで連結され、しかも隙間ａを有して支持されているので、ＬＥＤ１１の熱が光源体１２からカバー部材１３に伝達されることがない。
【００７２】
次に、上記のように構成された照明装置を光源とした照明器具の構成を説明する。
【００７３】
図４に示すように、２０は店舗等の天井面Ｘに設けられた配線用のレール２１に移動可能に設置されたスポットライトで、レールと機械的に係合し、レールの導線と電気接続するための部材を設けたソケット２２と、ソケットに装着された本発明の照明装置１０で構成する。
【００７４】
このように構成されたスポットライト２０は、レール２１に沿って直線方向に移動できると共に、照明装置１０の光源体１２が、図４の実線及び一点鎖線に示す照射範囲にわたり、所定の角度で回動できるので、効果的な照明効果を得るように展示物の位置に合わせて自由に光源体１２を傾けて使用する。
【００７５】
さらに、照明効果を高めることが必要な場合には、点灯回路１５の調光回路を調整し、展示物に対して、例えば、ろうそくのゆらめきのような動きのある照明演出を行う。
【００７６】
以上、本実施形態において、各ＬＥＤ１１は、白色で構成したが、照明器具の用途に応じ、赤色、黄色、緑色等でも、さらには各種の色を組み合わせて構成してもよい。
【００７７】
各ＬＥＤ１１は、ＬＥＤの放熱板１１ｂをケース１２ａに接触させて支持したが、ＬＥ
Ｄの放熱板１１ｂ自体を大きい寸法に構成して、光源体１２を構成するケース１２ａとなるように構成してもよい。
【００７８】
透光部１２ｃを無色透明な合成樹脂で構成したが、上記の各種の色に着色したものでも、また完全な透明体でなく半透明でも、さらに材質としては合成樹脂に限らず、透光性を有する強化ガラス等で構成してもよい。さらにレンズ機能を持たせてもよい。
【００７９】
光源体１２をケース１２ａと透光体１２ｃにより円盤状をなすように構成したが、図５に変形例として示すように略球状をなす形状に構成してもよい。
【００８０】
すなわち、透光体１２ｃを中空の半球状に形成すると共に、アルミニウムのケース１２ａを中空半球状の下ケース１２ａ１とＬＥＤ１１を支持するための円盤状の中ケース１２ａ２で構成し、下ケースの開口部１２ｂ内面にＬＥＤを支持した中ケース１２ａ２をねじ込んで固定し、さらに半球状の透光体１２ｃを下ケースの開口部１２ｂを上から塞ぐように被せ、ねじ込みにより固定し、全体として中空の略球状をなす光源体１２を構成してもよい。
【００８１】
この光源体１２を上記実施形態と同様に、２個の軸ピン１３ｆにより、カバー部材１３の開口部１３ａに回動できるように軸止する。
【００８２】
この構成によれば、光源体１２が略球状をなし内部の空間が広くとれると共に外表面積も広くなり、より効果的にＬＥＤの熱を外部に放出することができる。
【００８３】
また、略球体をなす光源体１２を、軸ピン１３ｆを中心として回動するので、回動角度を大きくとることができ、より自由に光の照射方向を変えることができる。
【００８４】
さらに、図６の変形例に示すように、ケース１２ａは中空半球状の上ケース１２ａ３と、中空半球状の下ケース１２ａ１とＬＥＤ１１を支持するための円盤状の中ケース１２ａ２で構成し、上ケースの頂部に透光部となる開口１２ａ４を設け、開口に小径のレンズ等の透光体１２ｃを嵌め込んで構成し、２個の軸ピン１３ｆにより、カバー部材１３の開口部１３ａに回動できるように軸止するようにしてもよい。
【００８５】
さらに、図７に変形例として示すように、球状をなす光源体１２の軸止構成として、２個の軸ピン１３ｆによる手段に代え、下ケース１２ａ１の下面に球をなす穴１２ｅを形成し、この穴にカバー部材１３の隔壁１３ｄ上面に直立して設け、先端に穴１２ｅの球に合致する形状の球１３ｆ１を形成した軸１３ｆ２を挿入して構成してもよい。
【００８６】
この構成によれば、軸の球１３ｆ１と穴１２ｅの球との嵌合により、光源体１２が、上面視で３６０度の角度範囲にわたり回動することが可能となり、さらに自由に光の照射方向を変えることができる。
【００８７】
なお、図５〜図７に示す変形例におけるその他の構成、作用、効果等は、図１〜図４で示した本実施形態と同様で、同一部分には同一符号を付してある。
【００８８】
また、カバー部材１３をアルミニウム等熱伝導性の良好な金属で構成し構成したが、耐熱性でかつ電気絶縁性を有する合成樹脂で構成してもよい。
【００８９】
口金はＥ２６型に限らず、Ｅ１７型等のエジソン口金でもよい。さらに、公知のコンパクト形蛍光ランプに使用される端子ピンを有する口金でも、公知のシーリングローゼット方式に使用されるＬ字形をなした端子を有する口金でもよい。
【００９０】
本実施形態の照明器具は、スポットライトとして構成したが、ＬＥＤの使用個数を増減して、家庭用さらには、店舗、施設、業務用等の各種の照明器具として構成してもよい。
【００９１】
本実施形態によれば、ＬＥＤ１１が発生する熱は、光源体１２内での対流による冷却作用に加え、アルミニウムで構成した放熱板１１ｂ及びケース１２ａに直接伝導され、ケース１２ａ外周面から効果的に外部に放出されてＬＥＤの温度上昇を抑制する。
【００９２】
これにより、ＬＥＤとしては発光効率が低下することがなく、所定の照度を得ることができる。
【００９３】
光源体１２は、点灯回路１５を収納したカバー部材１３とは、別体の部品として構成したので、ＬＥＤの熱が光源体１２からカバー部材１３に伝達されることがない。
【００９４】
これにより、点灯回路１５の部品１５ｂの温度がＬＥＤからの熱により温められて上昇することがなく、回路故障の原因が除かれることから信頼性が高くなると共に寿命の低下が抑制される。
【００９５】
光源体１２は、点灯回路１５を収納したカバー部材１３とは、別体の部品として構成し、光源体１２は回動することができるようにしたので、必要に応じて照明を必要とする方向に自由に傾けて使用することができ、光の照射方向を変化させることが可能な照明装置を提供することができる。
【００９６】
さらに、点灯回路１５の調光回路を調整し、展示物に対して、ろうそくのゆらめきのような動きのある照明演出も行うことができる。
【００９７】
点灯回路１５は合成樹脂からなる絶縁ケース１６によって囲まれているので、外部からの熱がカバー部材１３を介して伝達されることがなく、回路部品１５ｂの温度上昇をより一層抑制することができる。さらに金属からなるカバー部材１３との電気的な絶縁も図ることができる。
【００９８】
さらに、合成樹脂からなる連結部材１８で、金属のカバー部材１３と口金部材１４を連結した構成としたので、両者間を熱的に絶縁できると共に、電気的にも絶縁することができる。
【００９９】
さらに、点灯回路１５は連結部材１８及び口金部材１４によって外部とは遮蔽された空間内に収納されていることから、空気中の塵埃等によるトラッキング現象発生の恐れも防止できる。
【０１００】
点灯回路１５は、カバー部材１３の凹部１３ｃ内に収納する構成としたので、点灯回路の収納スペースをカバー部材１３の軸方向に並べて確保する必要がなく、ランプの軸方向の長さが短くなり小形化した照明装置を提供することができる。
【０１０１】
さらに、光源体１２及びカバー部材１３はアルミニウムで構成したので、軽量であり電球型のＬＥＤランプとして構成した場合、電球として重くなることがない。
【０１０２】
また、本実施形態の照明装置を使用してスポットライト等の照明器具を構成した場合、照明装置１０の外郭はアルミニウムで構成されたカバー部材１３で構成され、外観が一般白熱電球に近いシルエットに形成されているので、従来のように電球を囲む金属の外郭部材が不用となり、コスト的にも安価で、かつデザイン的にも斬新な照明器具を提供するこ
とができる。
【０１０３】
以上、本発明の好適な実施形態を説明したが、本発明は上述の実施形態に限定されることなく、本発明の要旨を逸脱しない範囲内において、種々の設計変更を行うことができる。
【図面の簡単な説明】
【０１０４】
【図１】本発明の実施形態である照明装置の縦断面図。
【図２】同じく照明装置の正面図。
【図３】同じく照明装置の点灯回路及び明るさ特性を示すもので、（ａ）は概略的な回路図、（ｂ）は特性曲線図。
【図４】本発明の実施形態である照明器具を示し、天井面に設置されたスポットライトとしての照明器具を概略的に示した説明図。
【図５】本発明の実施形態である照明装置の変形例を示す縦断面図。
【図６】同じく照明装置の他の変形例を示す縦断面図。
【図７】同じく照明装置のさらに他の変形例を示す縦断面図。
【符号の説明】
【０１０５】
１０    照明装置
１１    半導体発光素子
１２    光源体
１３    カバー部材
１４    口金部材
１５    点灯回路
【図１】
2007012288.tif 000003
【図２】
2007012288.tif 000004
【図３】
2007012288.tif 000005
【図４】
2007012288.tif 000006
【図５】
2007012288.tif 000007
【図６】
2007012288.tif 000008
【図７】
2007012288.tif 000009